(57)【要約】【課題】  高倍率化と小型軽量化を両立し、良好な光学性能を有するズームレンズを提供する。【解決手段】  ズームレンズは、物体側から像側へ順に、ズーミングのためには移動せず正の屈折力を有する第１群、ズーミングに際して移動する少なくとも２群以上のレンズ群、開口絞り、ズーミングのためには移動せず正の屈折力を有する結像レンズ群で構成され、前記第１群は負の屈折力を有する第１１群、焦点調整に際して移動し正の屈折力を有する第１２群、正の屈折力を有する第１３群で構成され、前記第１３群は少なくとも１枚以上の負レンズ、少なくとも２枚以上の正レンズで構成され、  ズームレンズの広角端での焦点距離をfｗ、前記第１群の焦点距離をf１、前記第１１群の焦点距離をf１１、結像レンズ群の結像倍率βr、前記負レンズのｄ線基準のアッベ数の平均値をν１３ｎａ、前記正レンズのｄ線基準のアッベ数の平均値をν１３pａを適切に設定する。【選択図】  図１
2015094867.tif 000002
【特許請求の範囲】
【請求項１】
物体側から像側へ順に、ズーミングのためには移動せず正の屈折力を有する第１レンズ群、ズーミングに際して移動する少なくとも２群以上のレンズ群、開口絞り、ズーミングのためには移動せず正の屈折力を有する結像レンズ群で構成され、前記第１レンズ群は、負の屈折力を有する第１１レンズ群、焦点調整に際して移動し正の屈折力を有する第１２レンズ群、正の屈折力を有する第１３レンズ群で構成される、ズームレンズにおいて、
前記ズームレンズの広角端での焦点距離をｆｗ、前記第１レンズ群の焦点距離をｆ１、前記第１１レンズ群の焦点距離をｆ１１、前記結像レンズ群の結像倍率をβrとしたとき、
２．６  ＜  ｆ１／  ｆｗ  ＜  ４．５
０．６  ＜ ｜ｆ１１／ｆ１｜  ＜  ０．９
０．０  ＜ | βr | ＜  １．５
を満足し、
前記第１３レンズ群は、少なくとも１枚以上の負レンズ、少なくとも２枚以上の正レンズで構成され、負レンズのｄ線基準のアッベ数の平均値をν１３ｎａ、正レンズのｄ線基準のアッベ数の平均値をν１３ｐａ、としたとき、
２．０  ＜  ν１３ｐａ／ν１３ｎａ  ＜  ５．８
を満足する、ことを特徴とするズームレンズ。なお、ｄ線基準のアッベ数νｄは、ｄ線における屈折率をｎｄ、Ｃ線における屈折率をｎＣ、Ｆ線における屈折率をｎＦとしたとき、
νｄ＝（ｎｄ−１）／（ｎＦ−ｎＣ）
で定義される。
【請求項２】
前記第１１レンズ群は少なくとも２枚以上の負レンズ、少なくとも１枚以上の正レンズで構成され、負レンズのｄ線基準のアッベ数の平均値をν１１ｎａ、正レンズのｄ線基準のアッベ数の平均値をν１１ｐａとしたとき、
２．０ ＜  ν１１ｎａ  ／ν１１ｐａ  ＜  ３．６
を満足することを特徴とする請求項１に記載のズームレンズ。
【請求項３】
物体側から像側へ順に、ズーミングのためには移動せず正の屈折力を有する第１レンズ群、ズーミングに際して移動し負の屈折力を有する第２レンズ群、ズーミングに際して移動し負の屈折力を有する第３レンズ群、開口絞り、ズーミングのためには移動せず正の屈折力を有する結像レンズ群で構成されることを特徴とする、請求項１又は２に記載のズームレンズ。
【請求項４】
物体側から像側へ順に、ズーミングのためには移動せず正の屈折力を有する第１レンズ群、ズーミングに際して移動し負の屈折力を有する第２レンズ群、ズーミングに際して移動し正の屈折力を有する第３レンズ群、ズーミングに際して移動し負の屈折力を有する第４レンズ群、開口絞り、ズーミングのためには移動せず正の屈折力を有する結像レンズ群で構成されることを特徴とする、請求項１又は２に記載のズームレンズ。
【請求項５】
物体側から像側へ順に、ズーミングのためには移動せず正の屈折力を有する第１レンズ群、ズーミングに際して移動し負の屈折力を有する第２レンズ群、ズーミングに際して移動し負の屈折力を有する第３レンズ群、ズーミングに際して移動し負の屈折力を有する第４レンズ群、開口絞り、ズーミングのためには移動せず正の屈折力を有する結像レンズ群で構成されることを特徴とする、請求項１又は２に記載のズームレンズ。
【請求項６】
物体側から像側へ順に、ズーミングのためには移動せず正の屈折力を有する第１レンズ群、ズーミングに際して移動し負の屈折力を有する第２レンズ群、ズーミングに際して移動し負の屈折力を有する第３レンズ群、ズーミングに際して移動し正の屈折力を有する第４レンズ群、開口絞り、ズーミングのためには移動せず正の屈折力を有する結像レンズ群で構成され、
０．０  ＜ | βr | ＜  ０．５
を満足することを特徴とする請求項１又は２に記載のズームレンズ。
【請求項７】
請求項１乃至６のいずれか１項に記載のズームレンズを有する撮像装置。
【請求項８】
撮像装置のイメージサイズをＩＳとしたとき、
０．４  ＜ｆｗ／ＩＳ＜  １．２
を満足することを特徴とする請求項７に記載の撮像装置。
【発明の詳細な説明】
【技術分野】
【０００１】
本発明は、テレビカメラや映画用カメラ、ビデオカメラ、写真用カメラ、デジタルカメラに好適なズームレンズに関し、高倍率、小型軽量、且つ高性能なズームレンズ、及びそれを有する撮像装置に関するものである。
【背景技術】
【０００２】
テレビカメラや映画用カメラ、写真用カメラ、ビデオカメラなどの撮像装置には小型軽量で、広画角、高変倍比、且つ高い光学性能を有したズームレンズが要望されている。特に、プロフェッショナルの動画撮影システムとしてのテレビ、映画用カメラに用いられているＣＣＤやＣＭＯＳなどの撮像デバイスには、撮像範囲全体が略均一の解像力を有している。そのため、これを用いるズームレンズに対しては、画面中心から画面周辺まで解像力が略均一であること、機動性や操作性を重視した撮影形態に対して小型軽量であることが求められている。また、近年、浅い被写界深度や高感度を活かした映像表現を得るために大判の撮像デバイスを有したカメラが開発されており、これに対応するズームレンズが要望されている。
【０００３】
従来より、高倍率、小型軽量、且つ高性能なズームレンズとして、物体側より順に変倍に際して固定であり、正の屈折力を有する第１レンズ群、変倍用の負屈折力を有する第２レンズ群、像面補正用の負の屈折力を有する第３レンズ群、開口絞り、変倍に際して固定である正の屈折力を有するレンズ群より構成され、第１レンズ群は負の屈折力を有する第１１レンズ群、正の屈折力を有する第１２レンズ群、正の屈折力を有する第１３レンズ群で構成され、前記第１２レンズ群が合焦（焦点調整）を担うインナーフォーカス方式を採用したズームレンズが知られている。
【先行技術文献】
【特許文献】
【０００４】
【特許文献１】特開平９−１５５０１号公報
【特許文献２】特開２００４−３４１２３７号公報
【発明の概要】
【発明が解決しようとする課題】
【０００５】
前述したズームレンズにおいて、高倍率、小型軽量、且つ高性能を得るには各レンズ群の屈折力や構成を適切に設定する必要がある。
特許文献１、２に開示されているズームレンズは、テレビカメラ用の比較的小さな撮像デバイスを有するカメラに最適な構成であり、大判の撮像デバイスを有したカメラに適用した場合に大型化してしまう課題がある。
【０００６】
そこで本発明では、高倍率化と小型軽量化の両立が可能であり、且つ良好な光学性能を有するズームレン及びそれを有する撮像装置を提供することを目的とする。
【課題を解決するための手段】
【０００７】
上記目的を達成するために、本発明のズームレンズは、物体側から像側へ順に、ズーミングのためには移動せず正の屈折力を有する第１レンズ群、ズーミングに際して移動する少なくとも２群以上のレンズ群、開口絞り、ズーミングのためには移動せず正の屈折力を有する結像レンズ群で構成され、前記第１レンズ群は、負の屈折力を有する第１１レンズ群、焦点調整に際して移動し正の屈折力を有する第１２レンズ群、正の屈折力を有する第１３レンズ群で構成され、ズームレンズの広角端での焦点距離をfｗ、前記第１レンズ群の焦点距離をｆ１、前記第１１レンズ群の焦点距離をf１１、前記結像レンズ群の結像倍率をβrとしたとき、
２．６  ＜  ｆ１／  ｆｗ  ＜  ４．５
０．６  ＜  ｜f１１／f１｜  ＜  ０．９
０．０  ＜| βr |＜  １．５
を満足し、
前記第１３レンズ群は少なくとも１枚以上の負レンズ、少なくとも２枚以上の正レンズで構成され、負レンズのアッベ数の平均値をν１３ｎａ、正レンズのアッベ数の平均値をν１３pａ、としたとき、
２．０  ＜  ν１３ｐａ  ／ν１３ｎａ  ＜  ５．８
を満足することを特徴とする。なお、ｄ線基準のアッベ数νｄは、ｄ線における屈折率をｎｄ、Ｃ線における屈折率をｎＣ、Ｆ線における屈折率をｎＦとしたとき、
νｄ＝（ｎｄ−１）／（ｎＦ−ｎＣ）
で定義される。
【０００８】
本発明の更なる目的又はその他の特徴は、以下、添付の図面を参照して説明される好ましい実施例等によって明らかにされるであろう。
【発明の効果】
【０００９】
本発明によれば、高倍率化と小型軽量化の両立が可能であり、且つ良好な光学性能を有するズームレンズ及びそれを有する撮像装置を提供することが可能となる。
【図面の簡単な説明】
【００１０】
【図１】本発明の実施例１のズームレンズの広角端、無限遠合焦時における断面図である。
【図２】本発明の実施例１のズームレンズの（Ａ）物体距離無限遠合焦時における広角端、（Ｂ）焦点距離５１．０ｍｍ、（Ｃ）望遠端における収差図である。
【図３】本発明の実施例２のズームレンズの広角端、無限遠合焦時における断面図である。
【図４】本発明の実施例２のズームレンズの（Ａ）物体距離無限遠合焦時における広角端、（Ｂ）焦点距離５１．０ｍｍ、（Ｃ）望遠端における収差図である。
【図５】本発明の実施例３のズームレンズの広角端、無限遠合焦時における断面図である。
【図６】本発明の実施例３のズームレンズの（Ａ）物体距離無限遠合焦時における広角端、（Ｂ）焦点距離５０．０ｍｍ、（Ｃ）望遠端における収差図である。
【図７】本発明の実施例４のズームレンズの広角端、無限遠合焦時における断面図である。
【図８】本発明の実施例４のズームレンズの（Ａ）物体距離無限遠合焦時における広角端、（Ｂ）焦点距離５０．２ｍｍ、（Ｃ）望遠端における収差図である。
【図９】本発明の実施例１のズームレンズの（Ａ）物体近軸光線、（Ｂ）瞳近軸光線の概略光路図である。
【図１０】本発明の撮像装置の要部概略図である。
【発明を実施するための形態】
【００１１】
以下に、本発明の実施の形態を添付の図面に基づいて詳細に説明する。
図１は本発明の実施例１としての数値実施例１に係るズームレンズの広角端で無限遠物体合焦時におけるレンズ断面図である。図２は、数値実施例１に係るズームレンズの（Ａ）広角端、（Ｂ）焦点距離５１．０ｍｍ、（Ｃ）望遠端における無限遠物体合焦時における縦収差図である。
【００１２】
図３は本発明の実施例２としての数値実施例２に係るズームレンズの広角端で無限遠物体合焦時におけるレンズ断面図である。図４は、数値実施例２に係るズームレンズの（Ａ）広角端、（Ｂ）焦点距離５１．０ｍｍ、（Ｃ）望遠端における無限遠物体合焦時における縦収差図である。
【００１３】
図５は本発明の実施例３としての数値実施例３に係るズームレンズの広角端で無限遠物体合焦時におけるレンズ断面図である。図６は、数値実施例３に係るズームレンズの（Ａ）広角端、（Ｂ）焦点距離５０．０ｍｍ、（Ｃ）望遠端における無限遠物体合焦時における縦収差図である。
【００１４】
図７は本発明の実施例４としての数値実施例４に係るズームレンズの広角端で無限遠物体合焦時におけるレンズ断面図である。図８は、数値実施例４に係るズームレンズの（Ａ）広角端、（Ｂ）焦点距離５０．２ｍｍ、（Ｃ）望遠端における無限遠物体合焦時における縦収差図である。
【００１５】
縦収差図において、球面収差はｅ線（実線）、ｇ線（点線）を示している。非点収差はｅ線のメリディオナル像面（点線）とサジタル像面（実線）を示している。倍率色収差はｇ線（点線）によって表している。ＦｎｏはＦナンバー、ωは撮影半画角を表す。縦収差図では、球面収差は０．４ｍｍ、非点収差は０．４ｍｍ、歪曲は５％、倍率色収差は０．０５ｍｍのスケールで描かれている。
【００１６】
本発明のズームレンズは、物体側から像側へ順に、変倍のためには移動しない正の屈折力の第１レンズ群、変倍に際して移動する少なくとも２群以上からなる変倍移動レンズ群、開口絞り、変倍のためには移動せず結像のための正の屈折力を有するリレーレンズ群で構成される。第１レンズ群は、負の屈折力を有する第１１レンズ群、合焦（焦点調整）に際して移動する正の屈折力を有する第１２レンズ群、正の屈折力を有する第１３レンズ群で構成される。ズームレンズ（以下、「レンズ全系」とも記載する）における広角端での焦点距離をｆｗ、第１レンズ群の焦点距離をｆ１、第１１レンズ群の焦点距離をｆ１１、開口絞りより像側に位置するリレーレンズ群の結像倍率をβrとしたとき、以下の条件式を満足する。
２．６  ＜  ｆ１／  ｆｗ  ＜  ４．５            ・・・（１）
０．６  ＜｜ｆ１１／ｆ１｜  ＜  ０．９          ・・・（２）
０．０  ＜  | βr |  ＜  １．５                  ・・・（３）
【００１７】
条件式（１）はレンズ全系における広角端の焦点距離に対する第１レンズ群Ｕ１の焦点距離の比の範囲を規定することにより、小型軽量、高倍率且つ高性能を達成するための条件を規定している。
【００１８】
以下、図９を用いて詳細に説明する。
図９（Ａ）は実施例１における物体近軸光線の概略光路図である。小型軽量化と高性能化の両立を達成するためには、第１レンズ群Ｕ１の焦点距離ｆ１を小さくすることが望ましい。焦点距離ｆ１を小さくすると、第１レンズ群Ｕ１の像点位置、即ち第２レンズ群Ｕ２の物点位置Ｐが第２レンズ群Ｕ２に近づくため、変倍に必要なストローク量を低減することが可能となるためである。
【００１９】
しかしながら、焦点距離ｆ１を小さくすると、式（ａ）に示すように、所定のレンズ全系における焦点距離ｆｍを得るためには第１レンズ群Ｕ１以降の結像倍率を大きくする必要がある。
ｆｍ＝  f１  ×  β２ｍ  ×  β３ｍ  ×  βr    ・・・（ａ）
β２ｍはＵ２の結像倍率、β３ｍは第３レンズ群Ｕ３の結像倍率である。βrは絞りより像側の結像レンズ群Ｕrの結像倍率であり、変倍に際して一定である。
第１レンズ群Ｕ１以降の結像倍率が大きいと、第１レンズ群Ｕ１で発生する諸収差、製造バラつきによる発生する収差の拡大率が増大するため高性能化を達成することが困難となる。
【００２０】
以上より、第１レンズ群の焦点距離を適切な範囲に設定することが、小型軽量、高倍率且つ高性能を達成するために必要である。
【００２１】
条件式（１）の上限を超えると、レンズ全系における広角端焦点距離に対する第１レンズ群の焦点距離が大きくなり過ぎ、小型軽量化、高倍率化の両立を達成することが困難となる。
【００２２】
条件式（１）の下限を超えると、レンズ全系における広角端焦点距離に対する第１レンズ群の焦点距離が小さくなり過ぎ、高性能化を達成することが困難となる。
【００２３】
更に好ましくは、条件式（１）は次のように設定することが好ましい。
２．８  ＜  ｆ１／  ｆｗ  ＜  ４．２          ・・・（１ａ）
【００２４】
条件式（２）は、第１レンズ群の焦点距離に対する第１１レンズ群の焦点距離の比を規定することにより、小型軽量化と高性能化の両立を達成するための条件を規定している。
【００２５】
図９（Ｂ）は実施例１における瞳近軸光線の概略光路図である。
小型軽量化を達成するためには、広角端における入射瞳位置ＥＰを物体側に配置することにより第１１レンズ群Ｕ１１の瞳近軸光線高さを小さくし、レンズ径を低減することが好ましい。そのためには第１１レンズ群Ｕ１１の焦点距離ｆ１１を小さく、即ち屈折力を大きくする必要がある。更に焦点距離ｆ１１を小さくすることにより、第１２レンズ群Ｕ１２の合焦点のための繰り出し量Δｘを低減する効果を得ることも可能となり、更なる小型軽量化が達成できる。
しかしながら、焦点距離ｆ１１を小さくすると、第１１レンズ群Ｕ１１で発生する歪曲収差や非点収差のズーム変動が増大し、高性能化を達成することが困難となる。
【００２６】
以上より、第１１レンズ群の焦点距離を適切な範囲に設定することが、小型軽量化と高性能化の両立を達成するために必要である。
【００２７】
条件式（２）の上限を超えると、第１レンズ群の焦点距離に対する第１１レンズ群の焦点距離が大きくなり過ぎ、広角端における入射瞳位置が像側に配置されることにより第１１レンズ群のレンズ径が増大してしまい、小型軽量化を達成することが困難となる。
【００２８】
条件式（２）の下限を超えると、第１レンズ群の焦点距離に対する第１１レンズ群の焦点距離が小さくなり過ぎ、第１１レンズ群の屈折力が増大してしまい、歪曲収差や非点収差のズーム変動が増大し、高性能化を達成することが困難となる。
【００２９】
更に好ましくは、条件式（２）は次のように設定することが好ましい。
０．６３  ＜｜ｆ１１／ｆ１｜  ＜  ０．９      ・・・（２ａ）
【００３０】
条件式（３）は、絞りより像側に位置する結像レンズ群Ｕrの結像倍率を規定することにより、小型軽量化と高性能化の両立を達成するための条件を規定している。
高性能化を達成するためには、変倍移動群で発生する諸収差のズーム変動を抑制することが望ましい。そのためには、絞りより像側に位置する結像レンズ群Ｕrの結像倍率βrを小さくすることが必要である。
【００３１】
さて、（ａ）式より、βrを小さくすると、変倍移動群の結像倍率が大きくなる。このことにより、絞りの共役位置である入射瞳位置ＥＰは像側に配置される。このため、広角端における第１レンズ群Ｕ１の瞳近軸光線高さが高くなり、レンズ径が増大してしまう。
【００３２】
以上より、絞りより像側に位置する結像レンズ群の結像倍率を適切な範囲に設定することが、小型軽量化と高性能化の両立を達成するために必要である。
【００３３】
条件式（３）の上限を超えると、絞りより像側に位置する結像レンズ群の結像倍率が大きくなり過ぎ、変倍移動群で発生する諸収差のズーム変動が増大してしまい、高性能化を達成することが困難となる。
【００３４】
条件式（３）の下限を超えると、絞りより像側に位置する結像レンズ群の結像倍率が小さくなり過ぎ、広角端における入射瞳位置が像側に配置されることにより第１レンズ群のレンズ径が増大してしまい、小型軽量化を達成することが困難となる。
【００３５】
また、本発明のズームレンズにおける第１３レンズ群Ｕ１３は、少なくとも１枚以上の負レンズ、少なくとも２枚以上の正レンズで構成され、負レンズのアッベ数の平均値をν１３ｎａ、正レンズのアッベ数の平均値をν１３ｐａとしたとき、以下の条件式を満足する。
２．０  ＜  ν１３ｐａ／ν１３ｎａ  ＜  ５．８  ・・・（４）
【００３６】
条件式（４）は第１３レンズ群Ｕ１３に含まれる正レンズ、負レンズのアッベ数の平均値の比を規定することにより、基準波長であるｄ線における諸収差の抑制と色収差の抑制の両立を達成するための条件式を規定している。
【００３７】
条件式（４）の上限を超えると、負レンズのアッベ数が小さくなり過ぎ、負レンズの部分分比が増大し過ぎてしまい、望遠端における軸上色収差、倍率色収差の２次スペクトルが悪化してしまう。
【００３８】
条件式（４）の下限を超えると、色収差補正条件を満たすためには負レンズ、正レンズの屈折力がそれぞれ増大し過ぎてしまい、諸収差の補正が困難となる。
【００３９】
更に好ましくは、条件式（４）は次のように設定することが好ましい。
２．４  ＜  ν１３ｐａ／ν１３ｎａ ＜  ３．８  ・・・（４ａ）
【００４０】
また、本発明のズームレンズにおける第１１レンズ群は少なくとも２枚以上の負レンズ、少なくとも１枚以上の正レンズで構成され、負レンズのアッベ数の平均値をν１１ｎａ、正レンズのアッベ数の平均値をν１１ｐａとしたとき、以下の条件式を満足する。
２．０  ＜  ν１１ｎａ  ／ν１１ｐａ  ＜  ３．６    ・・・（５）
条件式（５）は第１１レンズ群Ｕ１１に含まれる正レンズ、負レンズのアッベ数の平均値の比を規定することにより、基準波長であるｄ線における諸収差の抑制と色収差の抑制の両立を達成するための条件式を規定している。
【００４１】
条件式（５）の上限を超えると、現存する光学材料では負レンズの材料の屈折率が小さくなり過ぎ、負レンズにおける換算傾角が増大するために高次の歪曲収差や非点収差が発生してしまう。
【００４２】
条件式（５）の下限を超えると、色収差補正条件を満たすためには負レンズ、正レンズの屈折力がそれぞれ増大し過ぎてしまい、諸収差の補正が困難となる。
【００４３】
更に好ましくは、条件式（５）は次のように設定することが好ましい。
２．２  ＜  ν１１ｎａ  ／ν１１ｐａ  ＜  ３．２    ・・・（５ａ）
なお、ν１１ｎａ，ν１１ｐａ，ν１３ｎａ及びν１３ｐａはいずれもｄ線基準のアッベ数であり、ｄ線基準のアッベ数νｄは、ｄ線における屈折率をｎｄ、Ｃ線における屈折率をｎＣ、Ｆ線における屈折率をｎＦとしたとき、下記式で定義される。
νｄ＝（ｎｄ−１）／（ｎＦ−ｎＣ）
【００４４】
本発明の更なる実施形態のズームレンズとして、物体側から像側へ順に、変倍のためには移動せず正の屈折力を有する第１レンズ群、変倍に際して移動する負の屈折力を有する第２レンズ群、変倍に際して移動する負の屈折力を有する第３レンズ群、変倍に際して移動する正の屈折力を有する第４レンズ群、開口絞り、変倍のためには移動せず正の屈折力を有する第５レンズ群で構成されるズームレンズにおいては、
０．０  ＜ | βr | ＜  ０．５                        ・・・（３ａ）
を満足することが好ましい。
【００４５】
さらに本発明は、上記の特徴を有するズームレンズと、該ズームレンズによって形成された像を受光する所定の有効撮像範囲を有する固体撮像素子と、を有する撮像装置において、撮像素子のイメージサイズ（有効撮像範囲の対角長、有効撮像範囲の像高の２倍）をＩＳとしたとき、ズームレンズを特に有効に利用するための以下の条件を規定する。
０．４  ＜  ｆｗ／ＩＳ  ＜  １．２                  ・・・（６）
条件式（６）の上限を超えると、レンズ全系における広角端焦点距離ｆｗが長くなりすぎてしまう。
【００４６】
条件式（６）の下限を超えると、レンズ全系における広角端焦点距離ｆｗが短くなりすぎ、第１１レンズ群Ｕ１１の軸外光線入射高さが増大し、レンズ径が大型化してしまう。
【００４７】
更に好ましくは、条件式（６）は次のように設定することが好ましい。
０．５  ＜  ｆｗ／ＩＳ  ＜  ０．７                  ・・・（６ａ）
尚、本発明のズームレンズが特に有効に利用されるズームレンズの変倍比としては、変倍比が３倍以上であることが好ましい。
【実施例１】
【００４８】
第１の実施例に示すズームレンズについて図１を用いて具体的に説明する。
【００４９】
図１において、第１レンズ群Ｕ１は変倍中固定の正の屈折力のレンズ群である。第２レンズ群Ｕ２は変倍用の負の屈折力のバリエータであり、光軸上を像面側へ単調に移動させることにより、広角端から望遠端への変倍を行っている。第３レンズ群Ｕ３は負の屈折力のコンペンセータであり、変倍に伴う像面変動を補正するために光軸上を像面側へ非直線的に移動している。ＳＰは開口絞り、結像レンズ群Ｕｒは結像のための正の屈折力のリレーレンズ群である。Ｉは撮像面である。第１レンズ群Ｕ１は更に、負の屈折力を有する第１１レンズ群Ｕ１１、正の屈折力を有する第１２レンズ群Ｕ１２、正の屈折力を有する第１３レンズ群Ｕ１３で構成され、前記第１２レンズ群Ｕ１２を物体側から像側に繰り出すことにより近距離物体への合焦を行う。
【００５０】
第１レンズ群Ｕ１は、第１面〜第１８面に対応する。第１１レンズ群Ｕ１１は第１面〜第６面に対応し、負レンズ２枚、正レンズ１枚で構成されている。第１２レンズ群Ｕ１２は、第７面〜第８面に対応する。第１３レンズ群Ｕ１３には、第９面〜第１８面に対応し、負レンズ２枚、正レンズ４枚で構成されている。
第２レンズ群Ｕ２は、第１９面〜第２６面に対応している。第３レンズ群Ｕ３は、第２７面〜第２９面に対応している。結像レンズ群Ｕｒは、第３１面〜第５０面に対応している。
【００５１】
非球面は第１レンズ、第４レンズに用いられている。主に歪曲収差や非点収差のズーム変動の補正およびフォーカシング時の収差変動の補正を行っている。
【００５２】
第１の実施例の各条件式対応値を表１に示す。数値実施例１はいずれの条件式も満足しており、高倍率化、小型軽量化を達成しつつ、良好な光学性能を有するズームレンズを実現している。
【実施例２】
【００５３】
第２の実施例に示すズームレンズについて図３を用いて具体的に説明する。
【００５４】
図３において、第１レンズ群Ｕ１は変倍中固定の正の屈折力のレンズ群である。第２レンズ群Ｕ２は変倍用の負の屈折力のバリエータであり、光軸上を像面側へ単調に移動させることにより、広角端から望遠端への変倍を行っている。第３レンズ群Ｕ３は正の屈折力を有する第２のバリエータであり、光軸上を像面側に移動させることにより、広角端から望遠端への変倍を行っている。第４レンズ群Ｕ４は負の屈折力のコンペンセータであり、変倍に伴う像面変動を補正するために光軸上を像面側へ非直線的に移動している。ＳＰは開口絞り、結像レンズ群Ｕｒは結像のための正の屈折力のリレーレンズ群である。Ｉは撮像面である。第１レンズ群Ｕ１は更に、負の屈折力を有する第１１レンズ群Ｕ１１、正の屈折力を有する第１２レンズ群Ｕ１２、正の屈折力を有する第１３レンズ群Ｕ１３で構成され、前記第１２レンズ群Ｕ１２を物体側から像側に繰り出すことにより近距離物体への合焦を行う。
【００５５】
第１レンズ群Ｕ１は、第１面〜第１８面に対応する。第１１レンズ群Ｕ１１は第１面〜第６面に対応し、負レンズ２枚、正レンズ１枚で構成されている。第１２レンズ群Ｕ１２は、第７面〜第１１面に対応する。第１３レンズ群Ｕ１３には、第１２面〜第１８面に対応し、負レンズ１枚、正レンズ３枚で構成されている。
【００５６】
第２レンズ群Ｕ２は、第１９面〜第２２面に対応している。第３レンズ群Ｕ３は、第２３面〜第２６面に対応している。第４レンズ群Ｕ４は、第２７面〜第２９面に対応している。結像レンズ群Ｕｒは、第３１面〜第４５面に対応している。
【００５７】
非球面は第１レンズ、第４レンズに用いられている。主に歪曲収差や非点収差のズーム変動の補正およびフォーカシング時の収差変動の補正を行っている。
【００５８】
第２の実施例の各条件式対応値を表１に示す。数値実施例２はいずれの条件式も満足しており、高倍率化、小型軽量化を達成しつつ、良好な光学性能を有するズームレンズを実現している。
【実施例３】
【００５９】
第３の実施例に示すズームレンズについて図５を用いて具体的に説明する。
【００６０】
図５において、第１レンズ群Ｕ１は変倍中固定の正の屈折力のレンズ群である。第２レンズ群Ｕ２は変倍用の負の屈折力のバリエータであり、光軸上を像面側へ単調に移動させることにより、広角端から望遠端への変倍を行っている。第３レンズ群Ｕ３は負の屈折力を有する第２のバリエータであり、広角端から望遠端への変倍を行っている。第４レンズ群Ｕ４は負の屈折力のコンペンセータであり、変倍に伴う像面変動を補正するために光軸上を像面側へ非直線的に移動している。ＳＰは開口絞り、結像レンズ群Ｕｒは結像のための正の屈折力のリレ−群である。Ｉは撮像面である。第１レンズ群Ｕ１は更に、負の屈折力を有する第１１レンズ群Ｕ１１、正の屈折力を有する第１２レンズ群Ｕ１２、正の屈折力を有する第１３レンズ群Ｕ１３で構成され、前記第１２レンズ群Ｕ１２を物体側から像側に繰り出すことにより近距離物体への合焦を行う。
【００６１】
第１レンズ群Ｕ１は、第１面〜第１８面に対応する。第１１レンズ群Ｕ１１は第１面〜第６面に対応し、負レンズ２枚、正レンズ１枚で構成されている。第１２レンズ群Ｕ１２は、第７面〜第８面に対応する。第１３レンズ群Ｕ１３には、第９面〜第１８面に対応し、負レンズ２枚、正レンズ４枚で構成されている。第２レンズ群Ｕ２は、第１９面〜第２４面に対応している。第３レンズ群Ｕ３は、第２５面〜第２６面に対応している。第４レンズ群Ｕ４は、第２７面〜第２９面に対応している。結像レンズ群Ｕｒは、第３１面〜第４６面に対応している。
【００６２】
非球面は第１レンズ、第４レンズに用いられている。主に歪曲収差や非点収差のズーム変動の補正およびフォーカシング時の収差変動の補正を行っている。
【００６３】
第３の実施例の各条件式対応値を表１に示す。数値実施例３はいずれの条件式も満足しており、高倍率化、小型軽量化を達成しつつ、良好な光学性能を有するズームレンズを実現している。
【実施例４】
【００６４】
第４の実施例に示すズームレンズについて図７を用いて具体的に説明する。
【００６５】
図７において、第１レンズ群Ｕ１は変倍中固定の正の屈折力のレンズ群である。第２レンズ群Ｕ２は変倍用の負の屈折力のバリエータであり、光軸上を像面側へ単調に移動させることにより、広角端から望遠端への変倍を行っている。第３レンズ群Ｕ３は負の屈折力を有する第２のバリエータであり、広角端から望遠端への変倍を行っている。第４レンズ群Ｕ４は正の屈折力のコンペンセータであり、変倍に伴う像面変動を補正するために光軸上を像面側へ非直線的に移動している。ＳＰは開口絞り、結像レンズ群Ｕｒは結像のための正の屈折力のリレ−群である。Ｉは撮像面である。第１レンズ群Ｕ１は更に、負の屈折力を有する第１１レンズ群Ｕ１１、正の屈折力を有する第１２レンズ群Ｕ１２、正の屈折力を有する第１３レンズ群Ｕ１３で構成され、前記第１２レンズ群Ｕ１２を物体側から像側に繰り出すことにより近距離物体への合焦を行う。
【００６６】
第１レンズ群Ｕ１は、第１面〜第１８面に対応する。第１１レンズ群Ｕ１１は第１面〜第６面に対応し、負レンズ２枚、正レンズ１枚で構成されている。第１２レンズ群Ｕ１２は、第７面〜第８面に対応する。第１３レンズ群Ｕ１３は、第９面〜第１８面に対応し、負レンズ２枚、正レンズ４枚で構成されている。第２レンズ群Ｕ２は、第１９面〜第２６面に対応している。第３レンズ群Ｕ３は、第２７面〜第２９面に対応している。第４レンズ群Ｕ４は、第３０面〜第３３面に対応している。結像レンズ群Ｕｒは、第３５面〜第４５面に対応している。
【００６７】
非球面は第１レンズ、第４レンズに用いられている。主に歪曲収差や非点収差のズーム変動の補正およびフォーカシング時の収差変動の補正を行っている。
【００６８】
第４の実施例の各条件式対応値を表１に示す。数値実施例４はいずれの条件式も満足している。また、本実施例の構成においては、βr=-0.22 であって、条件式（３ａ）も満足し、高倍率化、小型軽量化を達成しつつ、良好な光学性能を有するズームレンズを実現している。
【００６９】
以上、本発明の好ましい実施形態について説明したが、本発明はこれらの実施形態に限定されず、その要旨の範囲内で種々の変形及び変更が可能である。例えば実施例２〜４においては、第４レンズ群で変倍よる像面変動の補正を行っているが、第２レンズ群、第３レンズ群、第４レンズ群いずれでも本発明が成立することは言うまでもない。
【００７０】
図１０は、本発明の実施例１〜４のズームレンズを撮影光学系として用いた撮像装置（テレビカメラシステム）の要部概略図である。図１２において１０１は実施例１〜４のいずれかのズームレンズである。１２４はカメラである。ズームレンズ１０１はカメラ１２４に対して着脱可能となっている。１２５はカメラ１２４にズームレンズ１０１を装着することで構成される撮像装置である。ズームレンズ１０１は第１レンズ群Ｆ、変倍部ＬＺ、開口絞りＳＰ、結像用のレンズ群Ｒを有している。第１レンズ群Ｆは合焦用レンズ群が含まれている。１１４、１１５は各々第１レンズ群Ｆ、変倍部ＬＺを光軸方向に駆動するヘリコイドやカム等の駆動機構である。１１６〜１１８は駆動機構１１４、１１５および開口絞りＳＰを電動駆動するモータ（駆動手段）である。
【００７１】
１１９〜１２１は、第１レンズ群Ｆや変倍部ＬＺの光軸上の位置や、開口絞りＳＰの絞り径を検出するためのエンコーダやポテンショメータ、あるいはフォトセンサ等の検出器である。カメラ１２４において、１０９はカメラ１２４内の光学フィルタや色分解光学系に相当するガラスブロック、１１０はズームレンズ１０１によって形成された被写体像を受光するＣＣＤセンサやＣＭＯＳセンサ等の固体撮像素子（光電変換素子）である。また、１１１、１２２はカメラ１２４及びズームレンズ１０１の各種の駆動を制御するＣＰＵである。
【００７２】
このように本発明のズームレンズをテレビカメラに適用することにより、高い光学性能を有する撮像装置を実現している。
【００７３】
次に本発明の実施例１〜４に対応する数値実施例１〜４を示す。各数値実施例においてｉは物体側からの面の順序を示し、ｒｉは物体側より第ｉ番目の面の曲率半径、ｄｉは物体側より第ｉ面と第ｉ＋１番目の間隔、ｎｄｉとνｄｉは第ｉ番目の光学部材の屈折率とアッベ数である。焦点距離、Ｆナンバー、画角は、それぞれ無限遠物体に焦点を合わせたときの値を表している。ＢＦはレンズの最終面から像面までの距離である。
【００７４】
尚、非球面形状は、光軸方向の座標をｘ、光軸と垂直方向の座標をｙ、基準の曲率半径をＲ、円錐常数をｋ、ｎ次の非球面係数をAnとして、以下の式で表される。但し、「e-x」は「×10-x」を意味している。尚、非球面を有するレンズ面には各表中の面番号の左側に*印を付している。
【００７５】
ｘ＝（ｙ2／ｒ）／｛１＋（１−ｋ・ｙ2／ｒ2）0.5｝＋A４・ｙ4＋A６・ｙ6＋A８・ｙ8＋A１０・ｙ10＋A１２・ｙ12
【００７６】
＜数値実施例１＞
単位 mm
面データ
面番号       r        d      nd         vd       有効径
1*       230.634    3.00   1.77250    49.6       88.27
2         42.785   29.54                         69.60
3        -81.327    2.40   1.77250    49.6       67.89
4        253.731    0.63                         70.15
5        152.980    6.97   1.95906    17.5       71.98
6      -1363.977    0.93                         72.45
7        171.683   11.17   1.60311    60.6       75.01
8*      -119.665    4.80                         75.24
9        289.766   10.63   1.49700    81.5       74.30
10       -121.912    2.40   1.84666    23.8       73.96
11       -179.990    0.15                         74.07
12        135.831    2.20   1.84666    23.8       71.31
13         55.886   13.26   1.43875    94.9       67.69
14        490.455    0.15                         67.35
15        189.444    6.24   1.43387    95.1       67.25
16       -460.145    0.15                         67.32
17        196.655    8.96   1.77250    49.6       67.62
18       -133.427  (可変)                         67.43
19         55.041    1.00   2.00100    29.1       33.94
20         23.647    6.99                         29.92
21        -74.271    1.00   1.72916    54.7       29.82
22         65.150    3.00                         29.09
23         42.793    6.54   1.78472    25.7       29.21
24        -52.868    0.69                         28.61
25        -41.519    1.00   1.83481    42.7       28.42
26      -2429.214  (可変)                         27.79
27        -47.481    1.00   1.72916    54.7       27.05
28        196.255    2.71   1.92286    18.9       28.28
29       -525.842  (可変)                         28.88
30(絞り)    ∞       1.46                         34.40
31        533.292    5.59   1.60311    60.6       35.35
32        -47.782    0.15                         35.89
33         70.982    7.73   1.48749    70.2       35.93
34        -45.653    1.00   2.00069    25.5       35.63
35       -292.209    0.15                         36.03
36         34.078    5.98   1.58913    61.1       36.46
37        198.440   25.02                         35.85
38       -612.903    1.00   1.88300    40.8       22.63
39         27.609    4.32   1.92286    18.9       21.74
40        -97.230    3.05                         21.33
41        -39.345    1.00   2.00069    25.5       19.35
42         32.927    1.64                         18.99
43         56.013    3.83   1.48749    70.2       20.05
44        -49.782    8.94                         21.08
45         46.857    6.88   1.48749    70.2       28.99
46        -40.009    0.15                         29.31
47         75.878    3.17   1.48749    70.2       28.80
48      12752.683    2.19                         28.43
49        -50.658    1.00   1.84666    23.8       28.39
50       -136.174    46.02                        28.63
像面                 
非球面データ
第1面
K = 3.77301e+000  A 4= 3.05128e-007  A 6= 1.87256e-010  A 8=-1.41108e-013  A10= 4.60119e-017  A12=-6.36153e-021  
第8面
K =-3.64841e+000  A 4= 3.34659e-007  A 6= 7.99224e-011  A 8=-5.42827e-014  A10= 1.99335e-017  A12=-5.62220e-021  
各種データ
ズーム比      7.00 
広角     中間     望遠
焦点距離      17.00    51.00   119.00  
Fナンバー      2.80     2.80     3.40  
画角          41.04    16.18     7.09  
像高          14.80    14.80    14.80  
レンズ全長   325.03   325.03   325.03  
BF            46.02    46.02    46.02  
d18            0.80    41.30    58.60  
d26           51.59     8.60     7.16  
d29           14.87    17.35     1.49  
入射瞳位置    49.30    88.38   135.35  
射出瞳位置  -130.84  -130.84  -130.84  
前側主点位置  64.67   124.67   174.28  
後側主点位置  29.02    -4.98   -72.98  
ズームレンズ群データ
群  始面    焦点距離  レンズ構成長  前側主点位置  後側主点位置
1    1      55.00       103.59        62.54         42.93
2   19     -32.20        20.22         1.79        -13.90
3   27     -79.64         3.71        -0.33         -2.31
4   30      52.82        84.24        24.67        -84.56
【００７７】
＜数値実施例２＞
単位 mm
面データ
面番号       r        d      nd         vd       有効径
1*       267.080    3.00   1.77250    49.6       86.66
2         41.114   28.67                         67.47
3        -74.586    2.40   1.81600    46.6       65.95
4        459.103    0.71                         68.35
5        176.175    6.67   1.92286    18.9       70.53
6       -568.391    0.88                         70.98
7        179.309    9.90   1.60311    60.6       73.22
8*      -124.956    4.50                         73.43
9        385.960    9.71   1.49700    81.5       73.49
10       -137.992    2.40   1.72047    34.7       73.43
11       -203.813    4.21                         73.67
12        120.092    2.20   1.84666    23.8       72.01
13         59.106   14.59   1.43875    94.9       69.72
14      -1189.630    0.15                         69.96
15        454.731    8.87   1.43387    95.1       70.15
16       -125.886    0.15                         70.39
17       1899.488    6.27   1.77250    49.6       69.73
18       -138.362  (可変)                         69.60
19         79.289    1.00   2.00100    29.1       34.12
20         29.921    5.95                         31.06
21        -83.341    1.00   1.77250    49.6       30.97
22         74.836  (可変)                         30.43
23         65.499    6.24   1.73800    32.3       31.16
24        -51.493    0.64                         30.83
25        -42.801    1.00   1.49700    81.5       30.70
26       1030.031  (可変)                         29.75
27        -34.872    1.00   1.59522    67.7       29.04
28         59.288    4.14   1.92286    18.9       31.62
29       16227.561  (可変)                        32.08
30(絞り)    ∞       1.50                         34.92
31        231.328    4.75   1.77250    49.6       35.93
32        -81.378    0.15                         36.29
33         55.958    8.17   1.60311    60.6       36.13
34        -51.482    1.00   2.00069    25.5       35.58
35       -288.996   17.37                         35.35
36         25.939    7.42   1.52249    59.8       29.65
37       -132.690    0.15                         28.42
38         66.214    1.00   1.61340    44.3       25.81
39         19.917    3.79                         22.92
40         26.606    6.40   1.49700    81.5       21.55
41        -25.131    0.70   2.00069    25.5       20.22
42         58.140   17.64                         19.41
43        107.134    1.00   1.88300    40.8       25.44
44         25.809    6.48   1.80518    25.4       25.89
45        -86.801   46.02                         26.24
像面        ∞   
非球面データ
第1面
K = 2.85714e+001  A 4= 4.77690e-007  A 6= 6.21095e-011  A 8=-1.74465e-013  A10= 8.53308e-017  A12=-2.19711e-020  
第8面
K =-5.64629e+000  A 4= 4.25413e-007  A 6= 8.68166e-011  A 8=-6.00335e-014  A10= 7.56688e-018  A12=-7.67527e-022  
各種データ
ズーム比      6.85 
広角     中間     望遠
焦点距離      17.50    50.99   119.80  
Fナンバー      2.80     2.80     3.46  
画角          40.22    16.18     7.04  
像高          14.80    14.80    14.80  
レンズ全長   330.05   330.05   330.05  
BF            46.02    46.02    46.02  
d18            0.69    48.62    69.17  
d22            8.87     7.99     1.10  
d26           55.59     9.29     8.65  
d29           15.10    14.35     1.34  
入射瞳位置    47.90    87.31   136.24  
射出瞳位置  -104.59  -104.59  -104.59  
前側主点位置  63.36   121.04   160.74  
後側主点位置  28.52    -4.97   -73.78  
ズームレンズ群データ
群  始面    焦点距離  レンズ構成長  前側主点位置  後側主点位置
1    1      60.00       105.30        65.55         52.76
2   19     -23.28         7.95         3.54         -3.14
3   23      72.66         7.88         0.05         -4.81
4   27     -87.38         5.14        -0.30         -3.07
5   30      52.63        77.52        19.39        -73.90
【００７８】
＜数値実施例３＞
単位 mm
面データ
面番号       r        d      nd         vd       有効径
1*       216.287    3.00   1.77250    49.6       90.03
2         39.958   28.38                         68.64
3        -79.457    2.40   1.77250    49.6       68.05
4        225.141    2.65                         70.16
5        161.710    7.92   1.95906    17.5       72.94
6       -539.120    1.05                         73.51
7        192.358   11.71   1.60311    60.6       75.48
8*      -110.902    5.81                         75.64
9       7672.240    9.44   1.49700    81.5       73.90
10       -102.536    2.40   1.84666    23.8       73.69
11       -174.749    0.15                         74.13
12        171.919    2.20   1.84666    23.8       72.51
13         60.157   13.86   1.43875    94.9       69.69
14        494.129    0.15                         70.43
15        196.393    6.20   1.43387    95.1       71.15
16      -1430.611    0.15                         71.44
17        217.892   10.62   1.77250    49.6       71.96
18       -110.503  (可変)                         71.85
19        156.195    1.00   2.00100    29.1       38.36
20         32.989    7.04                         34.61
21        -76.134    1.00   1.72916    54.7       34.55
22        130.038    2.33                         34.46
23         61.404    7.31   1.78472    25.7       35.06
24        -56.016  (可変)                         34.71
25        -43.041    1.00   1.83481    42.7       32.72
26       -113.471  (可変)                         32.52
27        -46.947    1.00   1.72916    54.7       29.64
28        142.105    2.80   1.92286    18.9       31.04
29      -2478.248  (可変)                         31.55
30(絞り)    ∞       1.46                         32.34
31      -1036.033    4.54   1.69680    55.5       33.03
32        -45.818    0.15                         33.51
33         80.552    7.96   1.48749    70.2       33.49
34        -44.216    1.00   2.00069    25.5       33.06
35       -162.325    0.15                         33.41
36         29.403    4.90   1.58913    61.1       33.43
37         89.616   23.68                         32.84
38       1339.409    1.00   1.88300    40.8       20.50
39         42.722    3.25   1.92286    18.9       19.87
40        -81.385    2.24                         19.43
41        -39.062    1.00   2.00069    25.5       17.84
42         27.764    1.78                         17.77
43         36.649    5.56   1.48749    70.2       19.94
44        -35.620    0.19                         21.24
45         37.586    5.38   1.48749    70.2       22.86
46        461.019   46.00                         23.15
像面        ∞   
非球面データ
第1面
K = 1.42580e+001  A 4= 3.20378e-007  A 6= 2.73143e-010  A 8=-2.36261e-013  A10= 8.45351e-017  A12=-1.42141e-020  
第8面
K =-2.82711e+000  A 4= 2.89625e-007  A 6= 7.90882e-011  A 8=-5.24416e-014  A10= 2.04781e-017  A12=-6.59106e-021  
各種データ
ズーム比      5.62 
広角     中間     望遠
焦点距離      16.00    50.02    89.97  
Fナンバー      2.80     2.80     2.80  
画角          42.77    16.48     9.34  
像高          14.80    14.80    14.80  
レンズ全長   320.00   320.00   320.00  
BF            46.00    46.00    46.00  
d18            0.80    51.76    68.30  
d24            2.47     5.87     4.97  
d26           63.70     9.31     3.49  
d29           11.24    11.27     1.45  
入射瞳位置    46.85    83.44   108.47  
射出瞳位置   -61.37   -61.37   -61.37  
前側主点位置  60.46   110.16   123.05  
後側主点位置  30.00    -4.02   -43.98  
ズームレンズ群データ
群  始面    焦点距離  レンズ構成長  前側主点位置  後側主点位置
1    1      60.00       108.08        66.96         60.34
2   19    -173.71        18.68       -37.70        -67.28
3   25     -83.14         1.00        -0.33         -0.88
4   27     -72.58         3.80        -0.11         -2.14
5   30      40.84        64.23         7.11        -52.76
【００７９】
＜数値実施例４＞
単位 mm
面データ
面番号       r        d      nd         vd       有効径
1*       163.934    2.80   1.77250    49.6       89.87
2         44.357   35.43                         72.09
3        -74.618    2.20   1.77250    49.6       67.75
4        887.034    0.20                         69.87
5        165.380    5.49   1.95906    17.5       71.70
6       2707.548    2.00                         71.96
7        189.079   11.31   1.60311    60.6       73.61
8*      -130.305    5.65                         73.72
9       -313.808    7.59   1.49700    81.5       72.14
10        -94.201    2.00   1.84666    23.8       72.10
11       -128.244    0.20                         72.70
12        103.683    2.00   1.84666    23.8       71.04
13         57.648   14.41   1.43875    94.9       68.91
14      25974.572    0.20                         69.00
15        357.371    8.06   1.49700    81.5       69.08
16       -132.098    0.20                         69.02
17        115.350    6.58   1.77250    49.6       65.81
18       2477.781  (可変)                         64.91
19         47.911    1.20   2.00100    29.1       32.40
20         23.020    6.40                         28.61
21        -77.738    0.90   1.72916    54.7       28.53
22         48.075    1.65                         27.55
23         38.030    5.86   1.78472    25.7       27.63
24        -53.202    0.70                         27.14
25        -39.870    0.90   1.83481    42.7       27.02
26        850.377  (可変)                         26.39
27        -31.703    0.90   1.72916    54.7       26.42
28        141.854    2.45   1.92286    18.9       28.66
29       -468.181  (可変)                         29.29
30       3711.178    4.89   1.69680    55.5       32.47
31        -58.164    0.15                         33.51
32        249.761    4.03   1.58913    61.1       34.55
33       -119.290  (可変)                         34.87
34(絞り)    ∞       1.46                         35.02
35        344.213    5.92   1.48749    70.2       35.13
36        -40.823    1.20   2.00069    25.5       35.15
37        -89.075    0.42                         35.98
38         45.950    5.17   1.58913    61.1       36.48
39        396.671   30.97                         36.01
40         69.997    0.80   2.00069    25.5       24.34
41         24.686    5.55   1.48749    70.2       23.38
42        -83.696    2.37                         23.15
43         25.291    4.43   1.92286    18.9       21.66
44       -288.786    0.80   2.00100    29.1       21.02
45         25.778    2.41                         20.02
46         46.632    4.26   1.49700    81.5       20.27
47        -38.567    0.80   2.00100    29.1       20.20
48       -928.490   46.01                         20.43
像面        ∞   
非球面データ
第1面
K = 4.94774e+000  A 4= 1.63648e-007  A 6=-8.59936e-012  A 8=-2.11218e-015  A10=-7.22054e-019  A12=-4.44198e-022  
第8面
K =-2.43470e+000  A 4= 2.38022e-007  A 6=-2.79910e-011  A 8= 2.48574e-014  A10=-2.40771e-017  A12= 6.24794e-021  
各種データ
ズーム比      6.80 
広角     中間     望遠
焦点距離      17.50    50.16   118.91  
Fナンバー      2.80     2.79     3.36  
画角          40.22    16.44     7.09  
像高          14.80    14.80    14.80  
レンズ全長   315.03   315.03   315.03  
BF            46.01    46.01    46.01  
d18            2.02    41.12    59.95  
d26           47.42    12.01     4.49  
d29            6.67     8.61     0.81  
d33           10.01     4.37     0.87  
入射瞳位置    53.51    92.45   146.35  
射出瞳位置   -44.81   -44.81   -44.81  
前側主点位置  67.64   114.91   109.57  
後側主点位置  28.51    -4.15   -72.90  
ズームレンズ群データ
群  始面    焦点距離  レンズ構成長  前側主点位置  後側主点位置
1    1      56.00       106.31        66.23         42.88
2   19     -29.24        17.61         3.37         -9.66
3   27     -51.06         3.35        -0.22         -2.02
4   30      51.71         9.07         3.55         -2.03
5   34      77.41        66.56        -4.19        -48.78
各実施例と前述した各条件式との対応を表１に示す。
【００８０】
【表１】
2015094867.tif 000003
【符号の説明】
【００８１】
Ｕ１  第１レンズ群
Ｕ２  第２レンズ群
Ｕ３  第３レンズ群
Ｕ１１  第１１レンズ群
Ｕ１２  第１２レンズ群
Ｕ１３  第１３レンズ群
ＳＰ  開口絞り
Ｕr  結像レンズ群
【図１】
2015094867.tif 000004
【図２】
2015094867.tif 000005
【図３】
2015094867.tif 000006
【図４】
2015094867.tif 000007
【図５】
2015094867.tif 000008
【図６】
2015094867.tif 000009
【図７】
2015094867.tif 000010
【図８】
2015094867.tif 000011
【図９】
2015094867.tif 000012
【図１０】
2015094867.tif 000013